(57)【要約】【課題】可動式の赤外線センサーと運転状況を表示する表示手段との両方を装備しながら、赤外線センサーの向きが分かり易く、意匠性に優れた室内機を得る。【解決手段】空気調和機の室内機１０に設置されるセンサーユニット２００は、赤外線センサー２０を収納し、ケース窓３０ａを具備する光不透過材によって形成されたセンサーケース３０と、室内機本体３に設置されてセンサーケース３０を回動自在に保持すると共に、ホルダー窓４０ａを具備する光透過材によって形成されたケースホルダー４０と、センサーケース３０を回動するモーター５０と、室内機本体３に設置されてケースホルダー４０の前面の略全域を覆うと共に、ホルダー窓周縁４０ｂが侵入自在な前カバー窓６０ａを具備する光不透過材によって形成されたホルダー前カバー６０と、ケースホルダー４０に向かって光を照射する発光手段７０と、を有している。【選択図】図５
2011027378.tif 000002
【特許請求の範囲】
【請求項１】
吸引口および吹出口、並びに前面に前面開口部を具備する室内機本体と、
前記吸引口から前記吹出口に至る風路を形成する送風手段と、
前記風路内に配置された熱交換手段と、
前記室内機本体の前面開口部を覆い且つ開放すると共に、開口部であるパネル窓が形成された前面意匠パネルと、
前記室内機本体の前面開口部に設置されたセンサーユニットと、
を有し、
前記センサーユニットが、赤外線センサーと、
該赤外線センサーを収納し、前記赤外線センサーの受信範囲に相当した開口部であるケース窓を具備する光不透過材または光難透過材によって形成されたセンサーケースと、
前記室内機本体に設置され、前記センサーケースを回動自在に保持すると共に、前記赤外線センサーが回動した際の受信範囲に相当した開口部であるホルダー窓を具備する光透過材によって形成されたケースホルダーと、
該ケースホルダーに設置され、前記センサーケースを回動するモーターと、
前記室内機本体に設置され、前記ケースホルダーの前面の略全域を覆うと共に、前記ケースホルダーのホルダー窓の周縁が侵入自在な開口部である前カバー窓を具備する光不透過材または光難透過材によって形成されたホルダー前カバーと、
前記ケースホルダーに向かって光を照射する発光手段と、
を有し、
前記前面意匠パネルが前面開口部を覆った際、前記パネル窓の内側に前記ホルダー窓の周縁が位置することによって、前記発光手段が照射した光の一部が、前記ケースホルダーに入射した後、前記ホルダー窓の周縁から出射されることを特徴とする空気調和機の室内機。
【請求項２】
前記発光手段が三色ＬＥＤを具備し、運転モードに対応じて発光する光の色を変化させることを特徴とする請求項１記載の空気調和機の室内機。
【発明の詳細な説明】
【技術分野】
【０００１】
本発明は空気調和機の室内機、特に、可動式の赤外線センサーと、運転状況を表示する表示手段とを装備した、空気調和機の室内機に関するものである。
【背景技術】
【０００２】
従来、可動式の赤外線センサーを搭載した空気調和機の室内機（以下、単に「室内機」と称す）として、センサーの向きが明確に分かるよう、回動自在なセンサーケースに赤外線センサーおよび方向指示用の発光素子（ＬＥＤ等）を設置し、センサーケースを覆う半透明のカバーを設けた発明が開示されている（例えば、特許文献１参照）。
一方、運転状況を表示する表示手段を装備した室内機として、運転状況を確実に、且つ目立ち過ぎないように表示するため、前面意匠パネルに溝状の開口部（スリット）を設け、当該スリットの後方に光透過性半透明材料からなる略プリズム状の帯状部材を配置すると共に、当該帯状部材の下面に、運転モードに応じて色や発光位置が変化する光を発するＬＥＤを配置して、帯状部材の前面から光を出射する発明が開示されている（例えば、特許文献２参照）。
【先行技術文献】
【特許文献】
【０００３】
【特許文献１】特開平７−６３４００号公報（第２−３頁、第３図）
【特許文献２】特開２００６−１９４５６３号公報（第３−４頁、第５図）
【発明の概要】
【発明が解決しようとする課題】
【０００４】
特許文献１に開示された室内機は、センサーケースが室内機本体の内部に収納されて半透明のカバーに覆われているため、赤外線センサーの向きが分かり難いという問題、また、赤外線センサーの受信範囲を広くしようとするとカバーが拡大することから、室内機の前面の意匠性が阻害されるという問題があった。
一方、特許文献２に開示された室内機は、前面意匠パネルの左右方向の広い範囲に溝状の開口部（スリット）が設けられるため、室内機の前面の意匠性が阻害されるという問題があった。また、ＬＥＤを実装した基板が左右方向で長くなり、機器配置の自由度が小さくなっていた。
【０００５】
さらに、可動式の赤外線センサーと運転状況を表示する表示手段との両方を装備した室内機を得ようとして、特許文献１に開示された室内機と特許文献２に開示された室内機とを組み合わせたのでは、それぞれが別個の位置に配置されるため、室内機の前面の意匠性が阻害されるという問題があった。また、操作者の視線が分散されるため、操作性や視認性が悪化するという問題があった。
また、両者を同一位置に配置しようとすると、略プリズム状の帯状部材が赤外線センサーの受信範囲（半透明のカバー）と干渉しないように、たとえば、帯状部材を二分割して、それぞれがセンサーケースを挟むように左右に離して配置することになり、室内機の前面の意匠性が阻害されるという問題があった。
【０００６】
本発明は、上記のような課題を解決するためになされたもので、可動式の赤外線センサーと運転状況を表示する表示手段との両方を装備しながら、赤外線センサーの向きが分かり易く、意匠性に優れた室内機を得ることにある。
【課題を解決するための手段】
【０００７】
本発明に係る空気調和機の室内機は、
吸引口および吹出口、並びに前面に前面開口部を具備する室内機本体と、
前記吸引口から前記吹出口に至る風路を形成する送風手段と、
前記風路内に配置された熱交換手段と、
前記室内機本体の前面開口部を覆い且つ開放すると共に、開口部であるパネル窓が形成された前面意匠パネルと、
前記室内機本体の前面開口部に設置されたセンサーユニットと、
を有し、
前記センサーユニットが、赤外線センサーと、
該赤外線センサーを収納し、前記赤外線センサーの受信範囲に相当した開口部であるケース窓を具備する光不透過材または光難透過材によって形成されたセンサーケースと、
前記室内機本体に設置され、前記センサーケースを回動自在に保持すると共に、前記赤外線センサーが回動した際の受信範囲に相当した開口部であるホルダー窓を具備する光透過材によって形成されたケースホルダーと、
該ケースホルダーに設置され、前記センサーケースを回動するモーターと、
前記室内機本体に設置され、前記ケースホルダーの前面の略全域を覆うと共に、前記ケースホルダーのホルダー窓の周縁が侵入自在な開口部である前カバー窓を具備する光不透過材または光難透過材によって形成されたホルダー前カバーと、
前記ケースホルダーに向かって光を照射する発光手段と、
を有し、
前記前面意匠パネルが前面開口部を覆った際、前記パネル窓の内側に前記ホルダー窓の周縁が位置することによって、前記発光手段が照射した光の一部が、前記ケースホルダーに入射した後、前記ホルダー窓の周縁から出射されることを特徴とする。
【発明の効果】
【０００８】
本発明に係る空気調和機の室内機は、前記構成であるから、前面意匠パネルが前面開口部を覆った際、操作者（室内にいる人間）は正面から、パネル窓の内側にケースホルダーのホルダー窓の周縁を視認することができる。このとき、ホルダー窓の内側にはセンサーケースのケース窓が位置し、ケース窓を透過して赤外線センサーを視認することができるから、赤外線センサーの向きを正確に、且つ容易に知ることができる。
また、ケースホルダーの後面側に発光手段が配置されるから、発光手段が光を照射すると、ケースホルダーに入射した光の一部はホルダー窓の周縁から出射する。このとき、ホルダー窓の周縁の外側は光不透過性のホルダー前カバーによって覆われ、ホルダー窓の内側には光不透過性のセンサーケースの外面が位置しているから、発光手段が発した光はホルダー窓の周縁からのみ室内側に出射される。
すなわち、ホルダー窓の周縁を形成する所定幅の略円弧状（略Ｕ字状）や環状に光が視認されるから、室内機の意匠性が向上する。
さらに、運転状況の表示部と赤外線センサーとが同一位置にあるから、操作性や視認性が悪化することがない。
【図面の簡単な説明】
【０００９】
【図１】本発明の実施の形態１に係る空気調和機の室内機を説明する正面図。
【図２】図１に示す空気調和機の室内機を説明する構成部材を分解して示す斜視図。
【図３】図１に示す空気調和機の室内機を説明する側面視の断面図。
【図４】図１に示す空気調和機の室内機に設置された表示装置を説明する構成部材を分解して示す斜視図。
【図５】図１に示す室内機に設置されたセンサーユニットの構成部材を分解して示す斜視図。
【図６】図５に示すセンサーユニットの構成部材の一部を示す側面視の断面図。
【図７】図５に示すセンサーユニットの室内機本体への取付要領を説明する斜視図。
【図８】図５に示すセンサーユニットの組立途中の状態を示す側面視の断面図。
【図９】図５に示すセンサーユニットの組立途中の状態を示す正面図。
【図１０】図５に示すセンサーユニットの組立後の状態を示す側面視の断面図。
【図１１】図５に示すセンサーユニットの組立後の状態を示す正面図。
【図１２】図５に示すセンサーユニットの室内機に設置された状況を示す断面図。
【図１３】図５に示すセンサーユニットの室内機に設置された状況の部分断面図。
【図１４】図５に示すセンサーユニットの室内機に設置された状況の部分正面図。
【発明を実施するための形態】
【００１０】
［実施の形態１］
（空気調和機の室内機）
図１〜図３は本発明の実施の形態１に係る空気調和機の室内機を説明するものであって、図１は正面図、図２は構成部材を分解して示す斜視図、図３は側面視の断面図である。
なお、以下に示す各図において同じ部分または相当する部分には同じ符号を付している。また、各図は模式的に描いたものであって、本発明は図示された形態に限定するものではない。
図１〜図３において、空気調和機の室内機（以下「室内機」と称す）１０は、吸引口１０ａおよび吹出口１０ｃを具備する室内機本体３と、吸引口１０ａから吹出口１０ｃに至る風路１０ｂを形成する送風手段７と、風路１０ｂ内に配置された熱交換手段６と、を有している。
【００１１】
（室内機本体）
室内機本体３は室内の壁等に固定される基台９（以下、基台９側を「後面」と称す）と、基台９に固定される筐体２とを有している。そして、筐体２の前面傾向部を覆う前面意匠パネル１が、筐体２の前面寄り（室内機本体３の前面に同じ）に着脱自在かつ回動自在に設置されている。
筐体２の上面には吸引口１０ａが形成され、筐体２の下面（上面の一部を含む）には吹出口１０ｃが形成され、基台９の一部が風路１０ｂの一部（後面側）を形成している。また、吹出口１０ｃには、前面上下風向ベーン３０１と下面上下風向ベーン３０２とを具備する上下風向調整装置３００が設置されている。
【００１２】
送風手段７は基台９に装着されるものであって、風路１０ｂを形成している。
熱交換手段６は基台９に装着されるものであって、後面側部分および前面側部分とを具備し、風路１０ｂの送風手段７よりも上流側に配置され、図示しない室外機から供給される冷媒が流通する伝熱管６ａと、伝熱管６ａが貫通する複数枚の放熱フィン６ｂとを具備している。
そして、熱交換手段６の前面側部分の下方には、熱交換手段６から滴下したドレンを受け止めるドレンパン５が、基台９に装着されている。なお、ドレンパン５の下面は風路１０ｂの一部を形成するものであって、図示しない左右風向調整装置が設置されている。
さらに、風路１０ｂの吸引口１０ａの近くで前面寄りに、フィルター４ａを清掃するためのフィルター自動清掃ユニット４が着脱自在かつ移動自在に設置（基台９に爪によって、熱交換手段６にネジによってそれぞれ固定）されている。そして、前面開口部の上下方向の略中央に、フィルター４ａから落下した塵埃を貯溜するためのダストボックス４ｂが設置されている。
【００１３】
（表示装置）
前面意匠パネル１は、透明樹脂材料で成形され裏面に塗装または印刷などで光の透過が可能な色で着色された意匠層が形成されている。また、ダストボックス４ｂの前面側で、室内機本体３の左右方向の略中央に表示装置１００が配置されている（ドレンパン５とフィルター自動清掃ユニット４とに固定されている）。
したがって、前面意匠パネル１が前面開口部を覆った際、前面意匠パネル１とダストボックス４ｂとによって表示装置１００は、あたかも挟まれた状態になる。すなわち、表示装置１００の前面には、表示内容を印刷した印刷シート１３が貼付されているから、印刷シート１３が前面意匠パネル１の後面に押し付けられる（これについては別途詳細に説明する）。
そうすると、表示内容が前面意匠パネル１の裏面に鮮明に投影される。したがって、投影された表示内容は、透光性材料によって形成された前面意匠パネル１を透過して、前面意匠パネル１の前面に表示範囲１ｃとして表示される。すなわち、表示内容を室内機１０の外部から視認することができる。
【００１４】
（表示装置の構成）
次に、表示装置について詳細に説明する。  
図４は本発明の実施の形態１に係る空気調和機の室内機に設置された表示装置を説明するものであって、構成部材を分解して示す斜視図である。
図４において、表示装置１００は、枠状の表示装置カバー１２と、表示内容が印刷された印刷シート１３と、印刷シート１３が前面に貼付された基板ホルダー１４と、基板ホルダー１４にネジ止めされる基板１５と、板状の表示装置ベース１６と、を有している。
【００１５】
表示装置カバー１２は表示装置ベース１６に取り付けられ、両者によって開口部を具備する函体が形成され、該函体内に基板ホルダー１４が収納される。そして、基板ホルダー１４は付勢手段（たとえば、コイルスプリング）１９によって前面方向に付勢されるから、基板ホルダー１４の前面（印刷シート１３が貼付されている）は、函体から前面方向に押し出される。
また、前面意匠パネル１は光透過材料によって形成され、印刷シート１３には数字、記号、イラスト等の輪郭が縁取り印刷されているから、前面意匠パネル１が前面開口部を塞いだ際、基板１５に実装された発光手段（ＬＥＤ等）からの光によって、印刷シート１３に印刷された数字等が、前面意匠パネル１に投影されることになる。
【００１６】
表示装置ベース１６には、上方に突出するベースアーム１６ａが設けられ、ベースアーム１６ａの先端には、回動用のベース回動軸１６ｂが形成されている。
一方、筐体２に固定された表示装置取付体１８には、ベース回動軸１６ｂが侵入自在な取付体切欠部１８ｂが形成され、また、表示装置取付体１８に取り付けられる回動軸受部材１７にも、ベース回動軸１６ｂが侵入自在な軸受部材切欠部１７ｂが形成されている。
そして、取付体切欠部１８ｂと軸受部材切欠部１７ｂとによって形成される略円筒状の回動軸受に、ベース回動軸１６ｂが回動自在に支持される。
なお、運転制御のためのセンサーユニット２００が表示装置１００の下方に配置されて、表示装置取付体１８は、センサーユニット２００の取付体も兼ねている。
【００１７】
（センサーユニット）
図５〜図１４は本発明の実施の形態１に係る空気調和機の室内機に設置されたセンサーユニットを説明するものであって、図５は構成部材を分解して示す斜視図、図６は構成部材の一部を示す側面視の断面図、図７は室内機本体への取付要領を説明する斜視図、図８は組立途中の状態を示す側面視の断面図、図９は組立途中の状態を示す正面図、図１０は組立後の状態を示す側面視の断面図、図１１は組立後の状態を示す正面図、図１２は室内機に設置された状態を示す側面視の断面図、図１３は図１２に示す状態の平面視の部分断面図、図１４は図１２に示す状態の部分正面図である。
【００１８】
センサーユニット２００は、赤外線センサー２０と、赤外線センサー２０を収納し、赤外線センサー２０の受信範囲に相当した開口部であるケース窓３０ａを具備する光不透過材または光難透過材によって形成されたセンサーケース３０と、を有している。そして、センサーケース３０は、室内機本体３（正確には、筐体２に取り付けられた表示装置取付体１８）に設置されたケースホルダー４０に回動自在に保持されている。
【００１９】
ケースホルダー４０は光透過材によって形成され、赤外線センサー２０が回動した際の受信範囲に相当した開口部であるホルダー窓４０ａを具備している。
ケースホルダー４０にはセンサーケース３０を回動するモーター５０が設置される。
さらに、ケースホルダー４０の前面の略全域を覆うと共に、ケースホルダー４０のホルダー窓４０ａのホルダー窓周縁４０ｂが侵入自在な開口部である前カバー窓６０ａを具備する、光不透過材または光難透過材によって形成されたホルダー前カバー６０が、室内機本体３（正確には、筐体２に取り付けられた表示装置取付体１８）に設置されている。
さらに、ケースホルダー４０の後面に向かって光を照射する発光手段７０が、室内機本体３（正確には、筐体２に取り付けられた表示装置取付体１８）に設置されている。
【００２０】
（赤外線センサー）
赤外線センサー２０は、室内の温度分布を測定するものであって、モーター５０の回転角度との関係において室内に居る人間の位置を判定することができるものである。したがって、室内機１０は、かかる判定に基づいて、吹き出す空気の温度や、吹き出し方向等を制御することが可能になっている。
【００２１】
（センサーケース）
センサーケース３０は、上部を構成するモーター連結部（ケース上部に同じ）３１と、下部を構成するセンサーカバー部（ケース下部に同じ）３２とが、一体になった略繭型（上限端部が略半球状の筒体）である。すなわち、モーター連結部３１に形成されたケース爪３１ａが、センサーカバー部３２に形成されたケース孔３２ａに係合している（図６参照）。なお、モーター連結部３１にケース孔を形成し、センサーカバー部３２にケース爪を形成してもよい。
モーター連結部３１の頂点（北極点）にはモーター５０のモーター回転軸５１が嵌合するケース上部軸受３５が形成されている。また、センサーカバー部３２には開口したケース窓３０ａが形成されると共に、下端（南極点）には、ケースホルダー４０に設けられたホルダー軸４４が侵入するケース下部軸受３４が形成されている。
【００２２】
（ケースホルダー）
ケースホルダー４０は、センサーケース３０を収納する略半円筒のホルダー筒部４１と、ホルダー筒部４１の側面に対向して設けられたホルダー側板４２と、ホルダー筒部４１の上端部に設けられたホルダー上板４３と、を有している。
ホルダー筒部４１には開口するホルダー窓４０ａが形成されると共に、ホルダー筒部４１の底にはホルダー軸４４が設けられている。
図７において、センサーユニット２００は表示装置取付体１８（筐体２に固定されている）に設置される。すなわち、ケースホルダー４０のホルダー側板４２が、表示装置取付体１８に設けられたホルダー設置部１８ａに当接（陥入）し、ホルダー側板４２に形成された係合爪（図示しない）がホルダー設置部１８ａに形成された係合孔（図示しない）に係合する。
【００２３】
（ホルダー前カバー）
ケースホルダー４０を覆い隠すように、ホルダー前カバー６０が表示装置取付体１８に設置される。ホルダー前カバー６０は正面視で略逆Ｔ字状であって、ホルダー筒部４１およびホルダー上板４３を覆うと共に、上方に延長した前カバー上板部６１と、ホルダー側板４２を覆う前カバー側板部とを有している。そして、前カバー上板部６１および前カバー側板部６２に形成された係合爪（図示しない）がホルダー設置部１８ａに形成された係合孔（図示しない）に係合する。
なお、ホルダー前カバー６０には、ケースホルダー４０のホルダー筒部４１の一部（ホルダー窓４０ａのホルダー窓周縁４０ｂ）が侵入自在な前カバー窓６０ａが形成されている。
【００２４】
（組立状態）
図８において、ケースホルダー４０のホルダー側板４２が表示装置取付体１８（図示しない）に設置されている。
そして、モーター５０は、モーター回転軸５１がケースホルダー４０のホルダー筒部４１に挿入された状態で、ホルダー上板４３にモーター固体ネジ５２によって固定されている。また、ホルダー筒部４１の内部にはセンサーケース３０が収納され、赤外線センサー２０の受信面がケース窓３０ａに一致した姿勢で固定されている。
また、ケース上部軸受３５にモーター回転軸５１が陥入（相対的な回転が不能に侵入しているに同じ）し、ケース下部軸受３４にケースホルダー４０のホルダー軸４４が侵入しているから、センサーケース３０（赤外線センサー２０に同じ）は、モーター５０の回転によって、左右方向の所定の角度を往復する回転（揺動）をすることができる。
このとき、センサーケース３０は回転軸が変動しないように保持された状態で、回動するから、センサーケース３０の外面とホルダー筒部４１の内面との隙間を狭くすることが可能になる。
【００２５】
図９に示す正面図において、便宜上、ケースホルダー４０に右下がりの斜線を付している。すなわち、センサーケース３０の前面は殆どの範囲がケースホルダー４０によって覆われ、センサーカバー部（ケース下部に同じ）３２のケース窓３０ａを含む範囲が、ホルダー窓４０ａから視認可能になっている。このとき、ホルダー窓４０ａは正面視で左右方向に拡がった楕円形状であるため、センサーケース３０が左右方向の所定の角度を往復する回転（揺動）をしても、赤外線センサー２０の受信範囲にホルダー窓４０ａが干渉することがない。
また、ホルダー窓４０ａを通して、センサーケース３０のケース窓３０ａの方向を視認することができるから、確実且つ容易に、赤外線センサー２０の方向（受信方向）を知ることができる。
【００２６】
図１０および図１１において、ホルダー前カバー６０（便宜上、ホルダー前カバー６０に左下がりの斜線を付している）が表示装置取付体１８に設置されている。このため、ケースホルダー４０のホルダー筒部４１の一部（ホルダー窓４０ａのホルダー窓周縁４０ｂ）が前カバー窓６０ａに侵入し、前面方向に突出し、ホルダー窓４０ａのホルダー窓周縁４０ｂを除く範囲がホルダー前カバー６０によって覆われている。
すなわち、ホルダー窓４０ａのホルダー窓周縁４０ｂとホルダー窓４０ａの範囲に位置するセンサーケース３０の一部（ケース窓３０ａのケース窓周縁３０ｂ）のみが、正面から視認可能になっている。
【００２７】
図１２〜図１４において、前面意匠パネル１が前面開口部を塞いでいる。このとき、前面意匠パネル１に形成された貫通孔であるパネル窓１ａと、ケースホルダー４０のホルダー窓４０ａの位置が一致している。すなわち、ホルダー窓４０ａのホルダー窓周縁４０ｂを除く広い範囲が前面意匠パネル１によって覆われ、当然に、ホルダー前カバー６０の全域が前面意匠パネル１によって覆われている。
また、パネル窓１ａの左右には、パネル窓１ａに近づく程、後退する（後面側に位置する）パネル斜面１ｂが形成されている。したがって、センサーケース３０が左右方向に回動しても、赤外線センサー２０の受信範囲に前面意匠パネル１の一部が干渉することがない（図１参照）。
【００２８】
（発光手段）
そして、ケースホルダー４０の後方（後面寄り）には、発光手段７０が表示装置取付体１８に設置されている。発光手段７０には、三色ＬＥＤ７０ａが実装されて、運転モードに応じた所定の色の光を、照射（点灯および点滅を含む）することができる。
そして、三色ＬＥＤ７０ａが発光すると、発せられた光がケースホルダー４０を照射する。ケースホルダー４０は透明もしくは半透明樹脂で、光透過性を有する材料で成形されているため、三色ＬＥＤ７０ａから照射された光は透過する（一方から入射した光は内部を通過して他方から出射する）。
また、前面意匠パネル１が前面開口部を塞さいだ状態では、ケースホルダー４０のホルダー窓４０ａのホルダー窓周縁４０ｂおよびホルダー窓４０ａの内側のセンサーケース３０の外面（ケース窓３０ａのケース窓周縁３０ｂを含む）が、パネル窓１ａから視認可能である。しかしながら、センサーケース３０は光不透過性または光難透過性を有する材料で形成され、ケースホルダー４０のホルダー窓４０ａのホルダー窓周縁４０ｂを除く範囲は、光不透過性または光難透過性を有する材料で形成されたホルダー前カバー６０によって覆われている。
【００２９】
このため、三色ＬＥＤ７０ａから照射された光は、ホルダー窓４０ａのホルダー窓周縁４０ｂ（内周を形成する端面を含む）から出射される一部の光のみ、正面から視認することができる。すなわち、パネル窓１ａからはケースホルダー４０のホルダー窓４０ａのホルダー窓周縁４０ｂのみが見えるため、センサーケース３０の外周に沿ってのみ、発光しているよう視認される。このとき、ケースホルダー４０の露出したホルダー窓周縁４０ｂ以外からは光が室内機１０の外に出射されないから、略Ｕ字状また略三角形の環状に赤外線センサー２０の周囲を光らせることができる。
さらに、センサーケース３０は回転軸が変動しないように保持された状態で、回動するため、センサーケース３０の外面とホルダー筒部４１の内面との隙間を狭くすることが可能になるから、ホルダー窓４０ａの内側に視認されるセンサーケース３０の一部とホルダー筒部４１の一部とを近接させることが可能になり、意匠性が向上している。
【００３０】
一方、従来技術のようにケースホルダー４０を設置しない場合には、前記のような、略Ｕ字状または環状の発光範囲が得られないだけでなく、前面意匠パネル１に摺動することなく、センサーケース３０を回動させるためには、前面意匠パネル１の開閉時のズレを考慮して、パネル窓１ａの内周とセンサーケース３０の外周との隙間を大きくする必要があった。このため、当該隙間は物体の無い範囲あるいは暗い範囲として、前面意匠パネル１に不要に大きな欠損が形成されているように視認され、意匠性を阻害していた。
【００３１】
さらに、室内機１０では、パネル窓１ａにケースホルダー４０のホルダー窓４０ａのホルダー窓周縁４０ｂが侵入し、ホルダー窓４０ａにはセンサーケース３０のケース窓３０ａのケース窓周縁３０ｂが位置し、ホルダー窓４０ａのホルダー窓周縁４０ｂは発光している（光を出射している）。
したがって、パネル窓１ａの内縁とホルダー窓４０ａのホルダー窓周縁４０ｂとの隙間、およびホルダー窓４０ａの内周とセンサーケース３０の外面との隙間は、ホルダー窓４０ａのホルダー窓周縁４０ｂからの発光によって照らされ、あるいは、ホルダー窓４０ａのホルダー窓周縁４０ｂからの発光に目を奪われ、殆ど視認することができない。このため、所定の幅の隙間が形成される場合であっても、目立たなく、意匠性が阻害されることがない。
【産業上の利用可能性】
【００３２】
本発明は、可動式の赤外線センサーと運転状況を表示する表示手段とを装備しながら、赤外線センサーの向きが分かり易く、意匠性を向上することができるから、家庭用および事業用の各種空気調和機の室内機として広く利用することができる。
【符号の説明】
【００３３】
１：前面意匠パネル、１ａ：パネル窓、１ｂ：パネル斜面、１ｃ：表示範囲、２：筐体、３：室内機本体、４：フィルター自動清掃ユニット、４ａ：フィルター、４ｂ：ダストボックス、５：ドレンパン、６：熱交換手段、６ａ：伝熱管、６ｂ：放熱フィン、７：送風手段、９：基台、１０：室内機、１０ａ：吸引口、１０ｂ：風路、１０ｃ：吹出口、１２：表示装置カバー、１３：印刷シート、１４：基板ホルダー、１５：基板、１６：表示装置ベース、１６ａ：ベースアーム、１６ｂ：ベース回動軸、１７：回動軸受部材、１７ｂ：軸受部材切欠部、１８：表示装置取付体、１８ａ：ホルダー設置部、１８ｂ：取付体切欠部、２０：赤外線センサー、３０：センサーケース、３０ａ：ケース窓、３０ｂ：ケース窓周縁、３１：モーター連結部、３１ａ：ケース爪、３２：センサーカバー部、３２ａ：ケース孔、３４：ケース下部軸受、３５：ケース上部軸受、４０：ケースホルダー、４０ａ：ホルダー窓、４０ｂ：ホルダー窓周縁、４１：ホルダー筒部、４２：ホルダー側板、４３：ホルダー上板、４４：ホルダー軸、５０：モーター、５１：モーター回転軸、５２：モーター固体ネジ、６０：ホルダー前カバー、６０ａ：前カバー窓、６１：前カバー上板部、６２：前カバー側板部、７０：発光手段、１００：表示装置、２００：センサーユニット、３００：上下風向調整装置、３０１：前面上下風向ベーン、３０２：下面上下風向ベーン。
【図１】
2011027378.tif 000003
【図２】
2011027378.tif 000004
【図３】
2011027378.tif 000005
【図４】
2011027378.tif 000006
【図５】
2011027378.tif 000007
【図６】
2011027378.tif 000008
【図７】
2011027378.tif 000009
【図８】
2011027378.tif 000010
【図９】
2011027378.tif 000011
【図１０】
2011027378.tif 000012
【図１１】
2011027378.tif 000013
【図１２】
2011027378.tif 000014
【図１３】
2011027378.tif 000015
【図１４】
2011027378.tif 000016